(57)【要約】【課題】ブリスターパックなどの包装台紙を含む商品包装体を一列に規則的かつ綺麗に並べて配置することができ、運送時などにおいても荷崩れすることなく、安定した姿勢を維持することができる商品陳列箱を提供する。【解決手段】ケース本体２０Ａの仕切り部材として、片面段ボールをその波形面３１が内側に向くように商品包装体Ｐの大きさに応じてほぼＵ字状に折り曲げてなる陳列ホルダ３０Ａを用意し、波形面３１の凹溝３１１内に商品包装体Ｐの下端縁と両側縁の各一部分とを嵌合して陳列ホルダ３０Ａ内で複数の商品包装体Ｐを起立した状態で陳列する。【選択図】図１
2016140704.tif 000002
【特許請求の範囲】
【請求項１】
前板、上記前板よりも背の高い背板、左右の両側板および底板を含み、上面が上記背板の上縁から上記前板の上縁にかけて斜めに開口された箱形のケース本体と、上記ケース本体内に着脱自在に配置される仕切り部材とを備え、上記仕切り部材による区画内にブリスターパック等の包装台紙を含む商品包装体が並べて陳列される商品陳列箱において、
上記仕切り部材として、片面段ボールをその波形面が内側に向くように上記商品包装体の大きさに応じてほぼＵ字状に折り曲げてなる陳列ホルダが用いられ、上記波形面の凹溝内に上記商品包装体の下端縁と両側縁の各一部分とを嵌合することにより、上記陳列ホルダ内で複数の上記商品包装体が起立した状態で陳列されることを特徴とする商品陳列箱。
【請求項２】
上記陳列ホルダには、複数の上記商品包装体が、その正面が上記前板側を向くように上記背板から上記前板に向かって一列に配置され、かつ、上記ケース本体内に複数の上記陳列ホルダが上記商品包装体の陳列方向に対して直交する方向に配置されていることを特徴とする請求項１に記載の商品陳列箱。
【請求項３】
上記前板の裏面側には、上記陳列ホルダの上記前板側の一端を、上記底板の底面から所定の高さ位置に保持する支持部材が設けられていることを特徴とする請求項２に記載の商品陳列箱。
【請求項４】
上記支持部材は、上記前板とは別部材として上記前板の裏面側に添設された当て板からなることを特徴とする請求項３に記載の商品陳列箱。
【請求項５】
上記支持部材は、上記前板の上端側の一部分を上記前板の裏面側に折り返すことにより形成されることを特徴とする請求項３に記載の商品陳列箱。
【請求項６】
上記底板上には、上記前板の裏面に沿って配置され上記陳列ホルダの上記前板側の一端を上記底板の底面から所定の高さ位置に保持する縦板と、上記縦板の上縁から上記背板の下縁方向に向けて斜め下方に延びる傾斜板とを含む台座が設けられ、上記陳列ホルダが上記台座上に配置されることを特徴とする請求項２に記載の商品陳列箱。
【請求項７】
上記背板の上縁から上記傾斜板に向けて、上記陳列ホルダの上記背板側の他端を受け止める衝立板が折り返されていることを特徴とする請求項６に記載の商品陳列箱。
【請求項８】
少なくとも上記前板と上記底板は一枚の板材からなり、上記底板が、上記前板の上縁から上記背板の下縁方向に向けて斜め下方に延びるように形成されており、上記陳列ホルダの上記前板側の一端が上記前板の高さ以上の高さに保持されるようにして、上記陳列ホルダが上記底板上に配置されることを特徴とする請求項２に記載の商品陳列箱。
【請求項９】
上記背板の上縁から上記底板に向けて、上記陳列ホルダの上記背板側の他端を受け止める衝立板が折り返されていることを特徴とする請求項８に記載の商品陳列箱。
【請求項１０】
上記陳列ホルダの上記前板側の一端には、同一端側を上記底板の底面から所定の高さ位置に保持して上記陳列ホルダを斜め配置とする脚板が設けられていることを特徴とする請求項２に記載の商品陳列箱。
【請求項１１】
上記陳列ホルダにて起立された複数の上記商品包装体を収納した上記ケース本体の一対をそれらの背板同士を対向させてケース本体対とし、上記ケース本体対を所定の高さを有する陳列用基台上に載置し、かつ、上記ケース本体対に蓋部材を被せた状態で商品陳列場所に搬入し、上記蓋部材を外すだけで陳列可能であることを特徴とする請求項１ないし１０のいずれか１項に記載の商品陳列箱を用いた商品陳列方法。
【発明の詳細な説明】
【技術分野】
【０００１】
本発明は、台紙に支持された状態でブリスターパック等により包装される商品を陳列するための商品陳列箱に関し、さらに詳しく言えば、商品を綺麗かつ規則的に配置し、安定した状態で陳列可能な商品陳列箱に関する。
【背景技術】
【０００２】
商品の包装方法の一例としてブリスターパックがある。ブリスターパックは、ボール紙などからなる包装台紙と、商品本体を収納する収納凹部を備えた樹脂製の収納体とを有し、収納体の背面に包装台紙を貼り合わせることによって、内部に商品が封止されるようになっている（例えば特許文献１参照）。
【０００３】
通常、この種のブリスターパックには、商品吊下用の吊下孔が上部に設けられており、商品陳列棚に設けられた吊下フックにこの吊下孔を差し込むことにより、複数の商品が一列に並べて陳列棚に陳列される。
【０００４】
また、上述した吊下式の陳列方法ができないような売り場においては、例えば特許文献２に示されているように、整列させた商品を梱包箱に入れた状態のまま売り場に陳列する方法も提案されている。
【０００５】
しかしながら、特許文献２に記載の陳列方法では、商品が売れて少なくなっていくと、商品と梱包箱の間に隙間が生まれ、商品ががたついて正しい陳列姿勢を維持することが困難になってしまう。また、商品が傾いたり倒れたりすると、商品名などが記載されたポップ面が隠れるため、需要者の注意喚起を起こすことができず好ましくない。
【先行技術文献】
【特許文献】
【０００６】
【特許文献１】特開２００９−４０４２６号公報
【特許文献２】実開昭６４−２６２７５号公報
【発明の概要】
【発明が解決しようとする課題】
【０００７】
そこで、本発明の課題は、ブリスターパックなどの包装台紙を含む商品包装体を一列に規則的かつ綺麗に並べて配置することができ、運送時などにおいても荷崩れすることなく、安定した姿勢を維持することができる商品陳列箱を提供する。
【課題を解決するための手段】
【０００８】
上述した課題を解決するため、本発明は以下に示すいくつかの特徴を備えている。すなわち、前板、上記前板よりも背の高い背板、左右の両側板および底板を含み、上面が上記背板の上縁から上記前板の上縁にかけて斜めに開口された箱形のケース本体と、上記ケース本体内に着脱自在に配置される仕切り部材とを備え、上記仕切り部材による区画内にブリスターパック等の包装台紙を含む商品包装体が並べて陳列される商品陳列箱において、上記仕切り部材として、片面段ボールをその波形面が内側に向くように上記商品包装体の大きさに応じてほぼＵ字状に折り曲げてなる陳列ホルダが用いられ、上記波形面の凹溝内に上記商品包装体の下端縁と両側縁の各一部分とを嵌合することにより、上記陳列ホルダ内で複数の上記商品包装体が起立した状態で陳列されることを特徴としている。
【０００９】
より好ましい態様として、上記陳列ホルダには、複数の上記商品包装体が、その正面が上記前板側を向くように上記背板から上記前板に向かって一列に配置され、かつ、上記ケース本体内に複数の上記陳列ホルダが上記商品包装体の陳列方向に対して直交する方向に配置されていることが好ましい。
【００１０】
さらに好ましい態様として、上記前板の裏面側には、上記陳列ホルダの上記前板側の一端を、上記底板の底面から所定の高さ位置に保持する支持部材が設けられていることが好ましい。
【００１１】
また、上記支持部材は、上記前板とは別部材として上記前板の裏面側に添設された当て板からなることが好ましい。
【００１２】
また別の態様として、上記支持部材は、上記前板の上端側の一部分を上記前板の裏面側に折り返すことにより形成されてもよい。
【００１３】
さらに別の態様として、上記底板上には、上記前板の裏面に沿って配置され上記陳列ホルダの上記前板側の一端を、上記底板の底面から所定の高さ位置に保持する縦板と、上記縦板の上縁から上記背板の下縁方向に向けて斜め下方に延びる傾斜板とを含む台座が設けられ、上記陳列ホルダが上記台座上に配置されてもよい。
【００１４】
より好ましくは、上記背板の上縁から上記傾斜板に向けて、上記陳列ホルダの上記背板側の他端を受け止める衝立板が折り返されている。
【００１５】
また、少なくとも上記前板と上記底板は一枚の板材からなり、上記底板が、上記前板の上縁から上記背板の下縁方向に向けて斜め下方に延びるように形成されており、上記陳列ホルダの上記前板側の一端が上記前板の高さ以上の高さに保持されるようにして、上記陳列ホルダが上記底板上に配置されることが好ましい。
【００１６】
さらには、上記背板の上縁から上記底板に向けて、上記陳列ホルダの上記背板側の他端を受け止める衝立板が折り返されていることが好ましい。
【００１７】
また別の態様として、上記陳列ホルダの上記前板側の一端には、同一端側を上記底板の底面から所定の高さ位置に保持して上記陳列ホルダを斜め配置とする脚板が設けられていてもよい。
【００１８】
本発明には、本発明の商品陳列箱を用いた商品陳列方法も含まれる。すなわち、上記陳列ホルダにて起立された複数の上記商品包装体を収納した上記ケース本体の一対をそれらの背板同士を対向させてケース本体対とし、上記ケース本体対を所定の高さを有する陳列用基台上に載置し、かつ、上記ケース本体対に蓋部材を被せた状態で商品陳列場所に搬入し、上記蓋部材を外すだけで陳列可能であることを特徴としている。
【発明の効果】
【００１９】
本発明によれば、箱形のケース本体の底部に片面段ボールの波形面が内側を向くようにＵ字状に折り曲げてなる陳列ホルダを配置し、波形面の凹溝内に沿って商品包装体を一定間隔で差し込むことにより、複数の商品包装体を綺麗かつ規則的に配置することができる。
【００２０】
また、個々の商品包装体が波形面の凹溝内でそれぞれ個別に固定されるため、商品が少なくなってもがたついたり、傾いたりすることなく、常に安定した姿勢で陳列することができる。
【００２１】
さらに、陳列ホルダの前端側を底板の底面から所定の高さ位置となるように支持部材を介して斜めに持ち上げることにより、商品のポップ面（正面）の全体を購入者側に向けて配置することができ、購入者に対する宣伝購買力をより高めることができる。
【００２２】
さらまた、陳列ホルダにて起立された複数の商品包装体を収納したケース本体の一対をそれらの背板同士を対向させてケース本体対とし、ケース本体対を所定の高さを有する陳列用基台上に載置し、かつ、ケース本体対に蓋部材を被せた状態で商品陳列場所に搬入し、蓋部材を外すだけで陳列可能であることにより、開梱してすぐに陳列販売することができる。
【図面の簡単な説明】
【００２３】
【図１】本発明の第１実施形態に係る商品陳列箱の斜視図。
【図２】上記商品陳列箱のケース本体の展開図。
【図３】幅狭タイプ（ａ）および幅広タイプ（ｂ）の陳列ホルダの展開図。
【図４】ケース本体の組立手順の一例を説明する斜視図。
【図５】ケース本体を組み立てた状態を示す斜視図。
【図６】陳列ホルダに商品を立てた状態を示す斜視図。
【図７】陳列ホルダに商品を立てた状態を示す平面図。
【図８】商品陳列箱の使用状態を示す断面図。
【図９】本発明の第２実施形態に係る商品陳列箱の斜視図。
【図１０】本発明の第３実施形態に係る商品陳列箱の断面図。
【図１１】本発明の第４実施形態に係る商品陳列箱の断面図。
【図１２】本発明の第５実施形態に係る商品陳列箱の断面図。
【図１３】本発明の第６実施形態に係る商品陳列箱の展開図。
【図１４】本発明の第６実施形態に係る商品陳列箱の断面図。
【図１５】本発明の第７実施形態に係る商品陳列箱の展開図。
【図１６】本発明の第７実施形態に係る商品陳列箱の断面図。
【図１７】本発明の第８実施形態に係る商品陳列箱の陳列ホルダの展開図。
【図１８】本発明の第８実施形態に係る商品陳列箱の陳列ホルダを組み立てた状態の斜視図。
【図１９】本発明の第８実施形態に係る商品陳列箱の陳列ホルダの使用状態を示す断面図。
【図２０】本発明の商品陳列箱を用いた陳列方法を模式的に示した斜視図。
【発明を実施するための形態】
【００２４】
次に、本発明の各実施形態について図面を参照しながら説明するが、本発明はこれに限定されるものではない。
【００２５】
図１に示すように、本発明の第１実施形態に係る商品陳列箱１０Ａは、箱形のケース本体２０Ａと、ケース本体２０Ａに着脱自在に配置される仕切り部材としての陳列ホルダ３０Ａとを備えている。なお、以下の説明において、各実施形態において同一もしくは同一と見なされる箇所には同じ参照符号を付してある。
【００２６】
陳列ホルダ３０Ａには、内部に商品が封入された商品包装体Ｐが支持されている。この実施形態において、商品包装体Ｐは、ボール紙などからなる包装台紙Ｐ１と、商品本体を収納する収納凹部を備えた樹脂製の収納体Ｐ２とを有し、収納体Ｐ２の背面に包装台紙Ｐ１を貼り合わせることによって、内部に図示しない商品が封止された、いわゆるブリスターパックである。この実施形態において、商品包装体Ｐはブリスターパックが用いられているが、後述する陳列ホルダ３０Ａによって挟持可能な板状部を有していれば、これ以外の態様であってもよい。
【００２７】
図２に示すように、ケース本体２０Ａは、前板２１、前板２１よりも背の高い背板２２、左右の両側板２３，２３および底板２４を含み、上面が背板２２の上縁から前板２１の上縁にかけて斜めに開口された箱形である。ケース本体２０Ａは、一枚の両面段ボール板を切り抜き加工したものからなるが、折り畳んで組立可能なものであれば材質は特に限定されない。
【００２８】
底板２４は長方形状であり、対向する一方の長辺（図２では長辺２４ａ）には、前板２１が折曲可能に連設されている。前板２１は、底板２４の長辺２４ａに沿って連設された矩形片であって、２本の折線２１ａ、２１ｂが幅方向（図２では左右方向）に沿って互いに平行に延在している。
【００２９】
前板２１の折り線２１ａから先端側には、底板２４側に１８０°折り返される折り返し板２１１が形成されており、折り返し板２１１の先端（図２では下端）には、係止爪２１２が、この実施形態では３箇所設けられている。
【００３０】
前板２１と底板２４の付け根部付近には、係止爪２１２が係合される係止孔２１３が同じく３カ所設けられている。
【００３１】
底板２４の対向する他方の長辺（図２では長辺２４ｂ）には、背板２２が折曲可能に連設されている。背板２２は、底板２４の長辺２４ｂに沿って連設された矩形片であって、その先端側（図２では上端側）には、２本の平行な折り線２２ａ，２２ｂを挟んで折り返し板２２１が設けられている。
【００３２】
折り返し板２２１の左右両端には、折り返し板２２１を１８０°折り返した状態で係止するための係止爪２２２，２２２が一体的に設けられている。係止爪２２２，２２２は、後述する側板２３，２３に設けられた係止孔２３３、２３３に係止される。
【００３３】
側板２３，２３は左右対称形状であり、底板２４の短辺２４ｃに沿って折曲可能に連設されている。この例において、側板２３，２３は、その幅（図２では左右方向の長さ）が背板２２側から前板２１側に向かうにつれて漸次小さくなる台形状に形成されている。
【００３４】
側板２３の前板２１側（図２では下端側）には、前板２１と折り返し板２１１との間に挟持される第１補強板２３１が折線２３ａを介して一体的に連設されている。側板２３の背板２２側（図２では上端側）には、背板２２と折り返し板２２１との間に挟持される第２補強板２３２が、折線２３ｂを介して一体的に連設されている。
【００３５】
側板２３と第２補強板２３２の折線２３ｂの一部には、上述した背板２２の係止爪２２２が係止される係止孔２３３が設けられている。この実施形態において、係止孔２３３は、折線２３ｂの延在方向に沿って形成された長孔である。
【００３６】
この実施形態において、ケース本体２０Ａの長辺２４ａ、２４ｂおよび短辺２４ｃ、ならびに、各折線２１ａ、２１ｂ、２２ａ、２２ｂ、２３ａ、２３ｂは、段ボールを折り曲げるために線に沿って段を潰したけい線からなるが、状況に応じて前板２１などの各パーツをケース本体２１から切り離すためのミシン目が入れられていてもよい。
【００３７】
次に、図４，５を参照して、ケース本体２０Ａの組立手順の一例について説明する。まず、底板２４を水平に置いた状態で、左右の側板２３，２３を短辺２４ｃに沿って９０°谷折りすることで、側板２３，２３が底板２４に対して垂直に起立する。
【００３８】
次に、各側板２３の第１補強板２３１を折線２３ａに沿って前板２１側に９０°谷折りする。同様に、第２補強板２３２を折線２３ｂに沿って背板２２側に９０°谷折りする。次に、前板２１を長辺２４ａに沿って９０°谷折りしたのち、折り返し板２１１を折線２１ａ、２１ｂに沿って底板側に１８０°折り返す。
【００３９】
そして、折り返し板２１１の先端に設けられた３つの係止爪２１２を係止孔２１３にそれぞれ係合することで、前板２１と折り返し板２１１とで第１補強板２３１を挟み込む。
【００４０】
次に、背板２２を長辺２４ｂの折線に沿って９０°谷折りしたのち、折り返し板２２１を折線２２ａ、２２ｂに沿って底板２４側に１８０°折り返す。次に、折り返し板２２１の両端の係止爪２２２を側板２３の係止孔２３３に係合させる。これにより、図５に示すように、上面から前面にかけて開口されたケース本体が組み立てられる。
【００４１】
図３（ａ），（ｂ）を参照して、陳列ホルダ３０Ａは、１枚の片面段ボールを長方形状に切り抜き加工してなり、長手方向（図３では上下方向）に沿って互いに平行に延在する２本の折曲線３０ａ，３０ｂを備えている。
【００４２】
この実施形態において、陳列ホルダ３０Ａは、２種類の幅の異なる商品包装体Ｐに対応するため、幅狭タイプ（図３（ａ））と幅広タイプ（図３（ｂ））の２種類が用意されており、それらが複数組み合わせて用いられている。
【００４３】
図６，７を併せて参照して、陳列ホルダ３０Ａは、片面段ボールの一方の面に形成された波形面３１が内側（図３では正面側）に向くように、折曲線３０ａ，３０ｂに沿ってほぼＵ字状に折り曲げられる。これにより、商品包装体Ｐの下端縁を支持する底部支持板３２と、商品包装体Ｐの両側縁を支持する一対の側部支持板３３，３３とが形成される。
【００４４】
また、陳列ホルダ３０Ａの底部支持板３２および一対の側部支持板３３，３３の内側には、凹溝３１１が陳列方向（図７では上下方向）に沿って等間隔で形成される。この凹溝３１１に沿って商品包装体Ｐの下端縁ならびに左右の側縁の一部が嵌合されることにより、商品包装体Ｐが起立した状態で陳列ホルダ３０Ａ内で等間隔で支持される。
【００４５】
図１および図８に示すように、商品包装体Ｐは、その収納体Ｐ２がケース本体２０Ａの開口側に向くように、ケース本体２０Ａの側板２３と直交する方向（背板２２から前板２１に向かう方向）で、かつ、前板２１（および背板２２）の面に対して平行となるように陳列されてるため、商品が見やすく取り出しやすい。
【００４６】
また、陳列ホルダ３０Ａは、前板２１および背板２２の面に対して平行な方向に沿って複数個配置される。この例では、幅広タイプが３カ所、幅狭タイプが４カ所、合計７箇所の陳列ホルダ３０Ａが、１つのケース本体２０Ａに設置されている。なお、各陳列ホルダ３０Ａの底部支持板３２の裏面側には、図示しない両面粘着テープが貼着されており、両面粘着テープを介して底板２４に固定されるようになっている。
【００４７】
次に、図９を参照して、本発明の第２実施形態に係る商品陳列箱１０Ｂについて説明する。この商品陳列箱１０Ｂは、ケース本体２０Ａの前板２１が省かれている。すなわち、前板２１を取り外すことにより、ケース本体２０Ａの前面が全て開放されるため、商品包装体Ｐの前面をより消費者に見えやすくすることができる。
【００４８】
なお、前板２１を外すに当たっては、予め前板２１を有さないケース本体２１を用意しても良いが、例えば、上記第１実施形態のケース本体２０Ａの組立時に、前板２１を長辺２４ａに沿って切り離して組み立ててもよく、陳列形態に応じて適宜選択することができる。
【００４９】
次に、図１０を参照して、本発明の第３実施形態に係る商品陳列箱１０Ｃについて説明する。この第３実施形態において、商品陳列箱１０Ｃには、陳列ホルダ３０Ａの前板側の一端を、底板２４の底面から所定の高さ位置に保持する支持部材として当て板４０が添設されている。
【００５０】
当て板４０は、両面段ボールを複数枚重ね合わせて積層させたものからなり、前板２１の背面に沿って配置されている。当て板４０は、陳列ホルダ３０Ａの前板２１側の一端を、少なくとも底板２４の底面から所定の高さ位置に保持する高さを備えていればよい。この実施形態において、当て板４０は、陳列ホルダ３０Ａの前板２１側の一端を前板２１の高さ以上に持ち上げるだけの高さを有し、これにより、陳列ホルダ３０Ａの前板２１側が前板２１よりも高い位置に配置されるようになっている。当て板４０は、両面段ボールが好ましく用いられるが、段ボール以外の材質であってもよい。
【００５１】
これによれば、当て板４０を設けたことにより、陳列ホルダ３０Ａの前面側が前板２１よりも高い位置に持ち上げられ、商品包装体Ｐの前面が消費者に向けられるため、より消費者が商品を見やすく、かつ、取り出しやすくなる。
【００５２】
次に、図１１を参照して、本発明の第４実施形態に係る商品陳列箱１０Ｄについて説明する。この第４実施形態において、商品陳列箱１０Ｄには、陳列ホルダ３０Ａの前板側の一端を前板２１の高さ以上の高さに保持する支持部材として台座５０が設けられている。
【００５３】
台座５０は、前板２１の裏面に沿って配置され、陳列ホルダ３０Ａの前板側の一端を底板２４の底面から所定の高さ位置に保持する縦板５１と、縦板５１の上縁から背板２２の下縁方向に向けて斜め下方に延びる傾斜板５２とを含み、それらを折線５３に沿ってくの字状に折り曲げてなり、この実施形態において、台座５０は１枚の両面段ボールからなる。縦板５１の高さは、底板２４の底面から所定の高さ位置であればよく、この実施形態では、陳列ホルダ３０Ａの前板２１側の一端を前板２１の高さ以上に持ち上げるだけの高さを有している。
【００５４】
図１１に示すように、陳列ホルダ３０Ａの底部支持板３２を台座５０の傾斜板５２に沿って載置することにより、上記第３実施形態と同様に、商品包装体Ｐの収納体Ｐ２の全体が観察されるため、消費者に対する宣伝購買力を向上させることができる。
【００５５】
なお、台座５０の縦板５１を傾斜板５２側に折り畳んでケース本体２０Ａの底板に沿って敷設すれば上記第１実施形態と同様の商品陳列形態とすることができ、商品の陳列場所の配置などに応じて適宜選択することができる。
【００５６】
また別の態様として、図１２には、本発明の第５実施形態に係る商品陳列箱１０Ｅが示されている。この商品陳列箱１０Ｅは、陳列ホルダ３０Ａの前板２１側の一端を底板２４の底面から所定の高さ位置に保持する支持部材としての載置板２１４が前板２１に一体的に設けられている。
【００５７】
載置板２１４は、前板２１と折り返し板２１１との間（折線２１ａと折線２１ｂの間）に形成された前板２１の一部であり、前板２１と折り返し板２１１とを折線２１ａと折線２１ｂに沿ってそれぞれ９０°ずつ折り曲げることによって、底板２４から所定の高さに形成される水平面である。
【００５８】
この実施形態において、折り返し板２１１の先端にはさらに、受け板２１５が設けられている。受け板２１５は、底板２４と平行となるように折り曲げられ、載置板２１４に載置された陳列ホルダ３０Ａの荷重を受け止めるようになっている。
【００５９】
この第５実施形態でも、載置板２１４により、陳列ホルダ３０Ａの前面側を底板２４の底面から所定の高さ位置に持ち上げることができるため、上記第３，第４実施形態と同様に、消費者に対する宣伝購買力を向上させることができる。
【００６０】
次に、図１３および図１４を参照して、本発明の第６実施形態に係る商品陳列箱１０Ｆについて説明する。なお、上述した実施形態と同一もしくは同一と見なされる箇所には、同じ参照符号を伏してある。
【００６１】
この第６実施形態に係る商品陳列箱１０Ｆは、少なくとも前板２１と底板２４は一枚の板材からなり、底板２４が前板２１の上縁から背板２２の下縁方向に向けて斜め下方に延びるように形成されており、陳列ホルダ３０Ａの前板側の一端が底板２４の底面から所定の高さ位置に保持されるようにして、底板２４上に配置されている。
【００６２】
すなわち、本体ケース２０Ｂは、長方形状の背板２２を有し、長方形状の背板２２の一方の長辺２２ｂ（図１３では下辺）には、底板２４が一体的に形成されており、底板２４の先端には、前板２１が一体的に連設されている。前板２１の先端には折り返し板２１１がさらに設けられている。
【００６３】
背板２２の他方の長辺２２ａ（図１３では上辺）には、折り返し板２１１が連設されている。背板２２の各側辺２２ｃ，２２ｃには、側板２３，２３の短辺側の一端が連設されている。側板２３，２３の他方の短辺２３ａには、第１補強板２３１が連設されている。
【００６４】
図１４を参照して、ケース本体２０Ｂの特徴は、前板２１を長辺２４ａに沿って山折りに、さらに折り返し板２１１を各折線２１ａ、２１ｂに沿って山折りすることにより、底板２４の前板２１側が斜め上となるように底板２４が傾斜することにある。
【００６５】
これによれば、前板２１が底板２４の先端から下側に向けてほぼ垂直に形成されることにより、底板２４を斜めに傾けることができ、その結果、陳列ホルダ３０Ａを底板２４上に設置することで商品包装体Ｐを斜めに陳列することができる。
【００６６】
また、別の態様として、図１５および図１６には、第７実施形態に係る商品陳列箱１０Ｇが示されている。この商品陳列箱１０Ｇのケース本体２０Ｃは、基本的な形態は、上記第６実施例に係る商品陳列箱１０Ｆのケース本体Ｂと同じであるが、背板２２の上縁から底板２４に向けて、陳列ホルダ３０Ａの背板２２側の他端を受け止める衝立板２５が設けられている。
【００６７】
衝立板２５は、先の折り返し板２１１に相当する部位と同じであるが、衝立板２５は、その高さＨ２が、背板２２の高さＨ１よりも低い高さ（Ｈ１＞Ｈ２）となるように形成されている。衝立板２５の先端（図１５では上端）には、係止爪２５１が、この実施形態では３箇所設けられている。
【００６８】
これに対して、底板２４には、係止爪２５１が係止される係止孔２４１が同様に３箇所設けられている。係止孔２４１は、長辺２２ｂから前板２１側に所定の距離離れた位置に設けられており、衝立板２５の先端が底板２４に当接する位置に設けられている。
【００６９】
ケース本体２０Ｃの組立手順は、底板２４が斜めになるように折り畳むまでは一緒であるが、底板２４を斜めに折り曲げた後、衝立板２５を背板２２の長辺２２ａに沿って、その先端が底板２４に当接する位置まで折り曲げた後、係止爪２５１を係止孔２４１に係合させることにより、衝立板２５が底板２４に対して垂直に交差するように形成される。
【００７０】
これによれば、陳列ホルダ３０Ａの底面が底板２４に沿って据え置かれ、さらに衝立板２５に陳列ホルダ３０Ａの背面側の端部が受け止められるため、より陳列ホルダ３０Ａを安定して設置することができる。
【００７１】
さらに別の態様として、図１７〜１９には、本発明の第８実施形態に係る商品陳列具１０Ｈが示されている。この第８実施形態に係る商品陳列具１０Ｈの特徴は、陳列ホルダ３０Ｂであり、ケース本体２０Ａは第１実施形態と同一であるため、同じ参照符号を付し、その説明は省略する。
【００７２】
この陳列ホルダ３０Ｂは、商品包装体Ｐを支持するホルダ本体部分（３０Ａ）に加え、陳列ホルダ３０Ｂ自体を斜めに傾けるための脚板３４が設けられている。脚板３４は、陳列ホルダ３０Ｂの底部支持板３２の前板側（図１７では下端）の一端から連設されている。
【００７３】
脚板３４は、底部支持板３２と同幅で形成され、折線３０ｃに沿って折曲可能である。脚板３４の両端（図１７では左右両端）には、底部支持板３２と脚板３４との相対的な傾斜角を決める一対の傾斜板３５，３５が設けられている。傾斜板３５は、折線３０ｄを介して折曲可能であり、底部支持板３２側の一端縁が斜めに切り欠かれた傾斜角規定面３５１を備えている。
【００７４】
この陳列ホルダ３０Ｂは、まず、ホルダ本体部分（３０Ａ）を組み立てる。次に、脚板３４を折線３０ｃに沿って山折りにし、各傾斜板３５を折線３０ｄに沿ってほぼ９０°山折りする。傾斜板３５の傾斜角規定面３５１を、底部支持板３２の底面に沿って当接させることにより、図１９に示すように、傾斜板３５の下端縁３５２が水平面となり、ケース本体２０Ａの底板２４に沿って水平に載置される。
【００７５】
なお、脚部３４はケース本体２０Ａの前板２１側に、また、各傾斜板３５，３５を側部支持板３３側に折り畳んで使用することもでき、これによれば、上記第１実施形態と同様の陳列形態とすることができる。
【００７６】
また、脚部３４を折線３０ｃに沿って切り離すことでも、第１実施形態の陳列形態とすることができるほか、状況に応じて脚部３４を立てて陳列ホルダ３０Ｂを傾けることなど、陳列場所の配置などに応じて適宜選択することができる。
【００７７】
次に、図２０を参照して、本発明の各実施形態に係る商品陳列箱１０Ａ〜１０Ｈを用いた陳列方法の一例について説明する。図２０に示すように、この商品陳列方法は、陳列ホルダ３０Ａにて起立された複数の商品包装体Ｐを収納したケース本体２０Ａの一対をそれらの背板２２，２２同士を対向させてケース本体対２０Ｐとし、ケース本体対２０Ｐを所定の高さを有する陳列用基台６０上に載置し、かつ、ケース本体対２０Ｐに蓋部材７０を被せた状態で商品陳列場所に搬入し、蓋部材７０を外すだけで陳列可能である。
【００７８】
陳列用基台６０は、段ボール箱の内部に図示しないスペーサ部材が入れられており、その上にケース本体対２０Ｐが着脱可能に載置されている。蓋部材７０は、陳列用基台６０の上端開口部に沿って合致する箱形であって、ケース本体対２０Ｐを覆い隠すように陳列用基台６０の上に載置されている。
【００７９】
蓋部材７０は、陳列用基台６０と一体に形成されており、陳列用基台６０と蓋部材７０との境界部には、ミシン目が設けられていて、陳列時にミシン目に沿って蓋部材７０を切り離すことによってケース本体対２０Ｐが現れるようになっている。
【００８０】
これによれば、蓋部材７０を被せた状態で商品陳列場所に搬入し、蓋部材７０を外すだけで陳列可能である。また、状況に応じては、陳列用基台６０からケース本体２０Ａを取り出して、ケース本体２０Ａを単体で陳列棚に設置することもできる。
【００８１】
また、上記実施形態で説明した当て板，台座などを付属品として商品陳列具に同包しておけば、商品包装体Ｐの全体が現れるように陳列することもでき、陳列場所の大きさや配置などに応じて選択することができる。
【００８２】
以上説明したように、本発明によれば、箱形のケース本体の底部に片面段ボールの波形面が内側を向くようにＵ字状に折り曲げてなる陳列ホルダを配置し、波形面の凹溝内に沿って商品包装体を一定間隔で差し込むことにより、複数の商品包装体を綺麗かつ規則的に配置することができる。また、個々の商品包装体が波形面の凹溝内にそれぞれ個別に固定されるため、商品が少なくなってもがたついたり、傾いたりすることなく、常に安定した姿勢で陳列することができる。
【符号の説明】
【００８３】
１０（１０Ａ〜１０Ｈ）  商品陳列箱
２０（２０Ａ，２０Ｂ）  ケース本体
２１  前板
２１１  折り返し板
２２  背板
２２１  折り返し板
２３  側板
２４  底板
２５  衝立板
２０Ｐ  ケース本体対
３０（３０Ａ，３０Ｂ）  陳列ホルダ
３１  波形面
３２  底部支持板
３３  側部支持板
３４  脚板
３５  傾斜板
Ｐ  商品包装体
【図１】
2016140704.tif 000003
【図２】
2016140704.tif 000004
【図３】
2016140704.tif 000005
【図４】
2016140704.tif 000006
【図５】
2016140704.tif 000007
【図６】
2016140704.tif 000008
【図７】
2016140704.tif 000009
【図８】
2016140704.tif 000010
【図９】
2016140704.tif 000011
【図１０】
2016140704.tif 000012
【図１１】
2016140704.tif 000013
【図１２】
2016140704.tif 000014
【図１３】
2016140704.tif 000015
【図１４】
2016140704.tif 000016
【図１５】
2016140704.tif 000017
【図１６】
2016140704.tif 000018
【図１７】
2016140704.tif 000019
【図１８】
2016140704.tif 000020
【図１９】
2016140704.tif 000021
【図２０】
2016140704.tif 000022